(57)【要約】【課題】旅先で或は街で親子でスケーターを楽しむことができるようなスケーターを提案することを目的とする。【解決手段】車体フレーム４の前側と後側に夫々前車輪２と後車輪３が設けられ、また車体フレーム４上には足踏み板７が設けられ、更に車体フレーム４の前端部にはその先端にハンドル部１１を有するハンドルポスト１２が設けられたスケーター１において、ハンドル部１１に対向状に子供乗せ部１８を設け、且つハンドル部１１に握り部２０を設けたスケーター。【選択図】      図１
2004275482.tif 000002
【特許請求の範囲】
【請求項１】
車体フレームの前側と後側には夫々前車輪と後車輪が設けられ、また車体フレーム上には足踏み板が設けられ、更に車体フレームの前端部にはその先端にハンドル部を有するハンドルポストが設けられたスケーターにおいて、ハンドル部後方に子供乗せ部を設けたことを特徴とするスケーター。
【請求項２】
子供乗せ部が座部と背凭れ部とからなる請求項１記載のスケーター。
【請求項３】
背凭れ部が座部に対して折畳可能にした請求項２記載のスケーター。
【請求項４】
車体フレームの後側部とハンドル部を折畳可能にした請求項１又は２記載のスケーター。
【請求項５】
ハンドル部の回転防止機構を設けた請求項１記載のスケーター。
【発明の詳細な説明】
【０００１】
【発明が属する技術分野】
この発明は、子供乗せ部を設けたスケーターに関するものである。
【０００２】
【従来の技術】
従来、スケーター乃至片足漕ぎ走行車としては、フレーム前方には、下端に前輪を上端にハンドルを有するハンドルポストを設け、フレーム上には足踏み板を設け、フレーム後方には後輪を設けたスケーターが知られている（特開２００２−５８７７５等）。
【０００３】
【発明が解決しようとする課題】
しかし、これらのスケーターは一般には一人乗りのものであり、例えば親子でスケーターの走行を楽しむことはできない等の欠点がある。
【０００４】
この発明は、旅先で或は街で親子でスケーターを楽しむことができるようなスケーターを提案することを目的とする。
【０００５】
【課題を解決するための手段】
この発明は、上記実情に鑑み、車体フレームの前側と後側には夫々前車輪と後車輪が設けられ、また車体フレーム上には足踏み板が設けられ、更に車体フレームの前端部にはその先端にハンドル部を有するハンドルポストが設けられたスケーターにおいて、ハンドル部に対向状に子供乗せ部を設け、且つハンドル部に握り部を設けたスケーターを提供するものである。
【０００６】
【発明の実施の形態】
ここで、例えば子供乗せ部は座部と背凭れ部とからなり、座部がハンドル部に向かい合うように車体フレームの前側部に固定され、更にハンドル部には座部に着座した子供が把持する握り部を設ける。
【０００７】
以上のような構成において、子供を座部に座らせ、且つ握り部を把持させてスケーターを片足蹴り走行させることにより、子供と一緒にスケーターの走行感を楽しむことができる。
【０００８】
なお、ハンドル部には回転防止機構等のロック機構を設ければ、子供の乗せ降ろし時におけるハンドル部の揺動を防ぐことができる。
【０００９】
また、子供を乗せない場合を想定すれば、背凭れ部は座部に対して折畳可能にしておけば便利であり、更に背凭れ部の他に、車体フレームの後側部とハンドル部を折畳可能にしておけば、旅先等に携帯することができる。
【００１０】
【実施例】
以下、この発明を図示の実施例に基づいて説明すると、１はこの発明に係るスケーター、２は小径な前車輪、３は小径な後車輪、４は下端部にストッパー５を有する車体フレームである。
【００１１】
車体フレーム４はその後端部に後車輪３の軸受部６を設け、その上端部に足踏み板７を設置した後側部４ａと前車輪２の外周に沿って設けられた前側部４ｂから構成される。
【００１２】
車体フレームの後側部４ａはこの実施例では枢着金具８で結合された２部材からなり、９は枢着金具８の固定金具であり、その固定を解除することにより車体フレームの後側部４ａは枢着金具８を中心に足踏み位置とは反対方向に折畳まれる。
【００１３】
また、車体フレームの前側部４ｂは、その前端にはヘッドパイプ１０が設けられ、ヘッドパイプ１０にはその先端に二股状のハンドルバー１１を有するハンドルポスト１２が挿通され、ハンドルポスト１２の基端にはその先端部で前車輪２の車軸を軸受する前ホーク１３が設けられ、更にハンドルバー１１の先端にはブレーキ部１４が設けられる。
【００１４】
なお、ハンドルポスト１２は枢着金具１５を介在させた２部材からなり、１６は枢着金具１５の締付け部材であって、その締付けを解除することによりハンドルポスト１２は枢着金具１３を中心に前方に折畳まれる。
【００１５】
更に、ヘッドパイプ１０と前ホーク１３との間にはハンドルロック機構１７が設けられ、子供の乗り降ろし時にはハンドルポスト１２及び前ホーク１３をロックするようにしてある。
【００１６】
一方、１８はシートベルト１９を有する子供乗せ部、２０はハンドルバー１１に設けられた握り部、２１は乗せ部１８に座した子供の足巻き込み防止具で、子供乗せ部１８は座部１８ａと背凭れ部１８ｂとからなり、座部１８ａは足踏み板７と並列するようにしてその基台１８ｃを車体フレームの前側部４ｂに固定され、更に背凭れ部１８ｂの下端部と座部１８ａの後端部間には軸受部２２とその締付け金具２３が設けられ、締付け金具２３の締付けを解除することにより背凭れ部１８ｂは座部１６ａに対して折畳み可能となる。
【００１７】
以上の構成において、子供乗せ部１８に座らせた子供はシートベルト１７を被着し、握り部１８を握られると共に、足踏み板７に片足を載せ、他の片足で地面を蹴ってスケーター１を走行させるものであり、これによれば親子してスケーター１の走行を楽しむことができ、また子供を座乗させない場合には、背凭れ部１８ｂを折り畳み、一人でスケーター１の走行を楽しむことができる。
【００１８】
なお、この実施例ではハンドルロック機構１７によりハンドルポスト１２及び前ホーク１３をロックすることにより子供の乗り降ろしを容易に行うことができる。
【００１９】
更に、この実施例ではスケーター１を上述のように背凭れ部１８ｂ、ハンドルポスト１２、車体フレームの後側部４ｂの折畳むことによりコンパクトな形態に折畳めれるので、旅先等に携帯して親子でスケーターを楽しむことができる。
【００２０】
【発明の効果】
以上要するに、この発明によれば旅先或は街内で子供を座乗させて親子でスケーターを楽しむことができる。
【図面の簡単な説明】
【図１】この発明の一実施例を示す斜視図
【図２】同上の側面図
【図３】背凭れ部を折畳んだ状態における同上の側面図
【図４】背凭れ部、ハンドルポストを折畳んだ状態における同上の側面図
【図５】背凭れ部、ハンドルポスト、車体フレームを折畳んだ状態における同上の側面図
【符号の説明】
１はスケーター
２は前車輪
３は後車輪
４は車体フレーム
４ａは車体フレームの後側部
４ｂは車体フレームの前側部
５はストッパー
６は軸受部
７は足踏み板
８は枢着金具
９は枢着金具８の固定金具
１０はヘッドパイプ
１１はハンドルバー
１２はハンドルポスト
１３は前ホーク
１４はブレーキ部
１５は枢着金具
１６は枢着金具１５の締付け部材
１７はハンドルロック機構
１８は子供乗せ部
１８ａは座部
１８ｂは背凭れ部
１８ｃは基台
１９はシートベルト
２０は握り部
２１は子供の足巻き込み防止具
２２は軸受部
２３は軸受部２２の締付け金具
【図１】
2004275482.tif 000003
【図２】
2004275482.tif 000004
【図３】
2004275482.tif 000005
【図４】
2004275482.tif 000006
【図５】
2004275482.tif 000007